(57)【要約】【課題】木粉と樹脂とを複合させて中空体に押出成形した合成木板で形成した幕板及び床板を備え、幕板を四角形に組み合わせて枠フレームとし、枠フレーム上に床板を載置固定し、枠フレームの四隅内側に脚柱を配置したウッドデッキにおいて、脚の高さ調整も含め当該デッキの組立が容易に行える構造とする。【解決手段】枠フレームの形成と脚柱３の連結並びに脚柱高さ調整を行う脚柱金具４を、枠フレームの内側面角部に当接して幕板２に固着する取付部４１１、及び取付部の上縁に内方に突設した庇部４１２、及び取付部両側に設けた係止受部４１３を有するコーナー金具体４１と、前記コーナー金具体の係止受部に引っ掛ける係止部４２１、及び係止部を係止受部に係止した際に柱側面と当接する抱持板部４２２、及び抱持板部から突設し緊締ボルト孔４２３を穿設した挟圧板部４２４を有する一対の締付金具体４２と、脚柱頂部に固定され中心に螺孔を形成すると共に螺棒４３３を直立螺装してなる調整金具体４３とで構成した。【選択図】  図５
2005023645.tif 000002
【特許請求の範囲】
【請求項１】
木粉と樹脂とを複合させて中空体に押出成形した合成木板で形成した幕板及び床板を備え、幕板を四角形に組み合わせて枠フレームとし、枠フレーム上に床板を載置固定し、枠フレームの四隅内側に脚柱を配置したウッドデッキであって、枠フレームの形成と脚柱の連結並びに脚柱高さ調整を行う脚柱金具を、枠フレームの内側面角部に当接して幕板に固着する取付部、及び取付部の上縁に内方に突設した庇部、及び取付部両側に設けた係止受部を有するコーナー金具体と、前記コーナー金具体の係止受部に引っ掛ける係止部、及び係止部を係止受部に係止した際に柱側面と当接する抱持板部、及び抱持板部から突設し緊締ボルト孔を穿設した挟圧板部を有する一対の締付金具体と、脚柱頂部に固定され中心に螺孔を形成すると共に螺棒を直立螺装してなる調整金具体とで構成したことを特徴とする組立式ウッドデッキ。
【請求項２】
床板におけるフェンス用柱の立設箇所の中空内に、所定のナット部を組み込んだナット金具を組み込み、フェンス用柱を立設固定する支持金具を、床板に穿設した透孔を通してナット金具に連結固定してなる請求項１記載の組立式ウッドデッキ。
【請求項３】
木粉と樹脂とを複合させて中空体に押出成形した合成木板で形成した幕板及び床板を備え、幕板を四角形に組み合わせて枠フレームとし、枠フレーム上に床板を載置固定し、枠フレームの四隅内側に脚柱を配置したウッドデッキであって、枠フレームの上端内側を一段低くして載置部とし、載置部の外周となる外縁突部における床板載置時の床板中空部分を含む範囲の内周上部のみを傾斜面に形成し、載置される床板の四周端面を前記枠フレームの傾斜面と同一角度の傾斜面とし、枠フレームに床板を載置固定した際に、外縁突部の内周下部に所定の空間が形成され、且つ枠フレーム四隅の幕板突合せ面において、前記空間と連通する間隙を内周側に設けてなることを特徴とする組立式ウッドデッキ。
【請求項４】
請求項１又は２記載の組立式ウッドデッキにおいて、枠フレームの上端内側を一段低くして床板の載置部とし、載置部の外周となる外縁突部における床板載置時の床板中空部分を含む範囲の内周上部のみを傾斜面に形成し、載置される床板の四周端面を前記枠フレームの傾斜面と同一角度の傾斜面とし、枠フレームに床板を載置固定した際に、外縁突部の内周上部に所定の空間が形成され、且つ枠フレーム四隅の幕板突合せ面において、前記空間と連通する間隙を内周側に設けてなる組立式ウッドデッキ。
【発明の詳細な説明】
【０００１】
【産業上の利用分野】
本発明は組立式ウッドデッキに関するものである。
【０００２】
【従来の技術】
ウッドデッキは周知のごとく木質材で形成された床（デッキ）を脚柱で支持し、必要に応じてフェンスを付設している。
【０００３】
特に組立方式としては、脚柱間に根太材を架設し、根太材に細長板の床板を釘着して組み立てるようにしている。更に前記の組み立てたデッキ体を所定の規格としておき、複数のデッキ体を組み合わせて所望の形状や広さのデッキを構築するようにしている（特許献１）。
【０００４】
また屋外使用に対応するように耐久性を備えた合成木材も知られている（特許文献２）。これは木粉と樹脂材を加熱練合し、所定の形状に押し出して長尺の中空体とするものである。
【０００５】
【特許文献１】
特開２０００―２７２８９号公報
【特許文献２】
特公平３―５９８０３号公報
【０００６】
【発明が解決しようとする課題】
前記の脚柱間に架設した根太材に細長板の床板を釘着して構築するデッキ体は、デッキ体の組立に際して必ずしも水平面とはいえない地面上に構築する場合に、床面を水平とするために、脚柱を切断したり継ぎ足ししたりする必要があり煩雑である。また特に輪棒を備えて上下高さを調整することができる束部材を採用することもできるが、美観上好ましくはない。
【０００７】
そこで本発明は、押し出し材（合成木材）を使用した組立式ウッドデッキを提供すると共に、脚の高さ調整も含め当該デッキの組立が容易に行える構造で、また中空体である合成木材を採用したことによって新たに生ずる問題（中空体内の結露や浸水）を解決した新規な組立式ウッドデッキを提案したものである。
【０００８】
【課題を解決する手段】
本発明に係る組立式ウッドデッキは、木粉と樹脂とを複合させて中空体に押出成形した合成木板で形成した幕板及び床板を備え、幕板を四角形に組み合わせて枠フレームとし、枠フレーム上に床板を載置固定し、枠フレームの四隅内側に脚柱を配置したウッドデッキであって、枠フレームの形成と脚柱の連結並びに脚柱高さ調整を行う脚柱金具を、枠フレームの内側面角部に当接して幕板に固着する取付部、及び取付部の上縁に内方に突設した庇部、及び取付部両側に設けた係止受部を有するコーナー金具体と、前記コーナー金具体の係止受部に引っ掛ける係止部、及び係止部を係止受部に係止した際に柱側面と当接する抱持板部、及び抱持板部から突設し緊締ボルト孔を穿設した挟圧板部を有する一対の締付金具体と、脚柱頂部に固定され中心に螺孔を形成すると共に螺棒を直立螺装してなる調整金具体とで構成したことを特徴とするものである。
【０００９】
而してコーナー金具体を幕板に装着することで枠フレームが形成され、脚柱頂部に調整金具を装着して脚柱上部側面をコーナー金具体に添わせると共に、螺棒を庇部に当接させ、枠フレームの脚支持を実現し、螺棒の長さ調整で脚柱の上下位置の調整を行い、締付金具体を係止受部に引っ掛け、対面する挟圧板部を緊締ボルト及びナット締め付けることで、抱持板部によって脚柱をしっかりと保持する。
【００１０】
また本発明（請求項２）は前記構成に、更に床板におけるフェンス用柱の立設箇所の中空内に、所定のナット部を組み込んだナット金具を組み込み、フェンス用柱を立設固定する支持金具を、床板に穿設した透孔を通してナット金具に連結固定してなるものである。
【００１１】
従ってフェンス用柱の立設固定が、床板の中空体を利用して床板に固定される金具（ナット金具と支持金具）を使用することで確実に実現できる。
【００１２】
また本発明（請求項３）は、枠フレームの上端内側を一段低くして載置部とし、載置部の外周となる外縁突部における床板載置時の床板中空部分を含む範囲の内周上部のみを傾斜面に形成し、載置される床板の四周端面を前記枠フレームの傾斜面と同一角度の傾斜面とし、枠フレームに床板を載置固定した際に、外縁突部の内周下部に所定の空間が形成され、且つ枠フレーム四隅の幕板突合せ面において、前記空間と連通する間隙を内周側に設けてなることを特徴とするものである。
【００１３】
従って枠フレームに床板を載置固定すると、床板の中空部分と枠フレームの外縁突部の内周下部の空間が連通し、前記空間と幕板突合せ面の間隙が連通することで、床板の中空部分の結露や浸水は、前記空間並びに間隙を通過して外部に流出する。
【００１４】
【実施の形態】
次に本発明の実施の形態について説明する。実施形態に示した組立式ウッドデッキの部材は、床板１、幕板２、脚柱３、脚柱金具４、フェンス用柱５、ナット金具６、支持金具７、フェンス部材８で構成される。
【００１５】
床板１、及び幕板２は、木粉と樹脂とを複合させて中空体に押出成形した合成木板で形成されており、その他の脚柱３、フェンス用柱５、フェンス部材８は、通常の木材でも良いが合成木材の方が好ましい。
【００１６】
床板１は、多数の中空部１１が並列した厚板形状で、且つ所定の規格寸法とした平面板（例えば９０×９０ｃｍの正方形）で、中空部１１の区画部１２に対応して所定の幅の浅溝１３を並設し、外周部分は、浅溝１３の深さと対応する鉛直壁面部１４と、鉛直壁面部１４の下方を内方に傾斜した傾斜面としたものである。また後述する幕板２の載置部２１に対応する範囲で、ネジ孔１５を穿設しておく。尚中空部１１の並列に直行する外周部分では、区画部１２の位置（＝浅溝１３の位置）にネジ孔１５を穿設する。
【００１７】
幕板２は、四角形に組み合わせて枠フレームＡとして、枠フレームＡ上に床板２を載置固定し、枠フレームの四隅内側に脚柱３を装着するもので、幕板１は、枠フレームＡとした場合の上端内側を一段低くして載置部２１とし、載置部２１の外周となる位置に外縁突部２２を形成したもので、更に前記外縁突部の上方部分のみを傾斜面２３としてなる。この傾斜面２３の形成範囲は、床板２を載置した時に、床板の中空部１１の一部が傾斜面より下方に位置するような範囲としたものである。尚床板１を載置した際に、床板１から外周に突出している外縁突部２２の上面部分の幅は、浅溝１３の半分の幅とする。
【００１８】
脚柱３は、所定の高さ及び太さを備えた木質柱で、頂部に所定形状で所定の深さを備えた凹部３１を設けているものである。勿論押出材を採用した場合には、当該凹部３１は中空部と対応する。
【００１９】
脚柱金具４は、コーナー金具体４１と、締付金具体４２と、調整金具体４３と、緊締用のボルト４４及びナット４５から構成される。
【００２０】
コーナー金具体４１は、前記の幕板２を四辺に配置した枠フレームＡを構築するもので、枠フレームＡの内側面角部に当接して幕板に固着する取付部４１１と、取付部４１１の上縁に約三角形状で内方へ突設した庇部４１２と、取付部４１１の両側縁に設けて取付部面より内側に傾斜突設させて孔部を設けた係止受部４１３とを備えたものである。
【００２１】
尚前記コーナー金具体４１は、四角形の枠フレームＡのみではなく、三角形の枠フレームＢに対しても対応できるように、取付部４１１の端縁（係止受部４１３の上下位置）に、取付部４１１から４５度又は所定の角度だけフレーム内周側に傾斜させ、ネジ孔を穿設した三角フレーム用の取付部４１１ａを設けてなる。
【００２２】
締付金具体４２は、左右対称の一対で構成され、前記コーナー金具体４１の係止受部４１３に引っ掛けることのできる係止部４２１と、係止部４２１を係止受部４１３に係止した際に脚柱３の側面と当接する抱持板部４２２と、前記抱持板部４２２から突設しボルト孔４２３を穿設した挟圧板部４２４を備えたものである。
【００２３】
調整金具体４３は、脚柱３の頂部に設けた凹部３１に嵌合する基板部４３１と、凹部３１の外周面（脚柱３の頂部）に載置固定される鍔部４３２を備え、基板部４３１の中心に螺孔を形成すると共に、螺棒４３３を直立螺装して、更に前記螺棒４３３に緩み止めナット４３４を螺合してなるものである。
【００２４】
フェンス用柱５は、木柱でも中空柱でもよいが、側面に必要に応じてフェンス板の嵌合縦溝５１を形成してなる。
【００２５】
ナット金具６は、左右対称の一対の金具（床板１の中空部１１の形状に対応して１個の金具の場合もある）で、基板部６１に脚部６２を備え、床板１の中空部１１に挿入した際に基板部６１が中空部１１の天井に当接する高さで、基板部６１には、フェンス用柱５の立設箇所の周囲となる位置に、所定のナット部６３を設け、更に脚部６２には、金具を中空部１１内に止着する止着ネジ６４を付設してなる。
【００２６】
支持金具７は、Ｌ状板で、横板部７１には、前記ナット部６３と対応するボルト孔を穿設してなり、立板部７２には、柱固定用のネジ孔を設けたものである。
【００２７】
またフェンス用部材８は、フェンス用柱５に装着する下方支持金具８１と、並立したフェンス用柱５の嵌合縦溝５１に嵌合するフェンス板８２（一枚ものでも、適宜な形状や大きさのものを組み合わせても良い）と、手すり棒８３からなる。
【００２８】
而して前記の部材を使用してウッドデッキを組み立てるもので、組立手順に添って次に説明する。
【００２９】
最初に枠フレームＡを形成するもので、コーナー金具体４１を使用して四辺に配置した幕板２を連結する。この連結に際して図６に例示するとおり、四隅の幕板突合せ面において、全体を密着させることなく、後述する空間ｃと連通する間隙ｂを内周側に設ける。
【００３０】
この枠フレームＡに脚柱３を装着するもので、脚柱３の頂部には、予め調整金具体４３を固着し、ウッドデッキの構築箇所における地面の高低による微調整が必要である場合には、螺棒４３３の突出長さを調整し、緩み止めナット４３４を緊締しておく。
【００３１】
そして前記の調整金具体４３を装着した脚柱３を、螺棒４３３の頂部が庇部４１２に当接した状態で、脚柱３の上部側面をコーナー金具体４１に添わせ、左右の各締付金具体４２の係止部４２１を係止受部４１３に引っ掛けて、対面する左右の挟圧板部４２４のボルト孔４２３にボルト４４を挿通し、ナット４５を緊締すると、抱持板部４２２で脚柱３が強く挟圧され、脚柱３が枠フレームＡと一体となる（図５）。勿論コーナー金具体４１に締付金具体４２を仮止めした状態で調整金具体４３を装着した脚柱３を差し入れるようにしても良い。
【００３２】
また前記の四角形の枠フレームＡとせずに、図７に例示するような三角形の枠フレームＢに組み立てるには、非直角部分（通常は内角４５度）において、幕板２の一辺は、取付部４１１に固着され、他方の幕板２は取付部４１１ａに固着し、幕板２を鋭角に突き合わせて連結し、三角枠フレームＢを形成するものである。
【００３３】
また前記枠フレームＡ（枠フレームＢも含む。以下同様である。）は所定の規格寸法で形成されているので、所定の面積にウッドデッキを組上げるには、図１１に例示するとおり、隣接する枠フレームＡを、隣接幕板２を貫通する連結ボルト９で一体に連結固定する。
【００３４】
前記の枠フレームＡに床板１を載置固定するものであるが、載置固定前に、フェンス用柱５の立設位置における中空部１１に、ナット金具６を挿入固定すると共に（図１４）、ナット金具６のナット部６３に対応する床板１の表面板に透孔１６を穿設しておく（図１２）。
【００３５】
前記のとおり床板１にナット金具６を組み込んだ状態としてから、床板１を枠フレームＡに載置固定するものであり、載置固定状態は図１０，１１に示すとおりである。すなわちネジ孔１５を通して、ネジ１７で床板載置部２１に連結固定する。このとき床板の傾斜端面と、外縁突部２２の傾斜面２３とが密着し、外縁突部２２の内周下方には空間ｃが形成される。
【００３６】
前記空間ｃは、床板１の中空部分１１と連通し、且つ幕板２の突合せ面の間隙ｂとも連通することになるので、床板１の中空部１１内に生じた結露や浸水は、空間ｃ並びに間隙ｂを通過して外部に流出することになる。
【００３７】
尚特に隣接枠フレームと連結固定する場合には、鉛直壁面１４と、外縁突部２２の上面部分とで、浅溝１３と同一形状の溝が形成されることになり、連結部分に不自然さが生じない。
【００３８】
床板１の張設が終了すると次にフェンスの構築を行うもので、床板１の上面の所定位置（透孔１６の形成位置）にフェンス用柱５を立設すると共に、支持金具７を、床板１に穿設した透孔１６を通してナット金具６のナット部６３に螺合連結し、更に支持金具７の立板部７２とフェンス用柱５とをネジ止めで固定する。
【００３９】
そしてフェンス用柱５の下方部分にフェンス板８２を支持する下方支持金具８１を取り付け、フェンス板８２を嵌合縦溝５１に嵌合し、フェンス用柱５の頂部に手すり棒８３を架設してデッキが完成する。
【００４０】
【発明の効果】
以上の通り本発明は、中空体に押出成形した合成木板で形成した幕板及び床板を備え、幕板を組み合わせて形成した枠フレーム上に床板を載置固定し、枠フレームの四隅内側に脚柱を配置したウッドデッキであって特に枠フレームの形成と脚柱の連結並びに脚柱高さ調整を行う脚柱金具を、所定構造のコーナー金具体と、締付金具体と、調整金具体とで構成したもので、合成木材を採用したウッドデッキの組立を容易にしたものである。
【００４１】
また本発明は、枠フレームの上端内側を一段低くして載置部とし、載置部の外周となる外縁突部における内周下部のみを傾斜面に形成して、枠フレームに床板を載置固定した際に、外縁突部の内周上部に所定の空間が形成され、且つ枠フレーム四隅の幕板突合せ面において、前記空間と連通する間隙を内周側に設けたもので、合成木材を使用したウッドデッキにおける中空部の結露や浸水を外部排出するようにして、水分の滞留によって生ずる問題を回避したものである。
【図面の簡単な説明】
【図１】本発明の実施形態の完成状態の斜視図。
【図２】同枠フレームの斜視図。
【図３】同コーナー金具体及び締付金具体の説明図。
【図４】同脚柱と調整金具体の説明図。
【図５】同脚柱連結状態の斜視図。
【図６】同幕板の突合せ状態の平面図。
【図７】同三角形の枠フレームの平面図。
【図８】同鋭角コーナーの連結部分の斜視図。
【図９】同床板の斜視図。
【図１０】同床板の載置状態の説明断面図。
【図１１】同隣接枠フレームとの連結接続状態の説明図。
【図１２】同床板のフェンス用柱取り付け箇所の平面図。
【図１３】同ナット金具の斜視図。
【図１４】同ナット金具の組み込み説明図。
【図１５】同フェンス用柱の取付状態の説明図。
【符号の説明】
１            床板
１１          中空部
１２          区画部
１３          浅溝
１４          鉛直壁面部
１５          ネジ孔
１６          透孔
１７          ネジ
２            幕板
２１          載置部
２２          外縁突部
２３          傾斜面
３            脚柱
３１          凹部
４            脚柱金具
４１          コーナー金具体
４１１，４１１ａ  取付部
４１２        庇部
４１３        係止受部
４２          締付金具体
４２１        係止部
４２２        抱持板部
４２３        ボルト孔
４２４        挟圧板部
４３          調整金具体
４３１        基板部
４３２        鍔部
４３３        螺棒
４３４        緩み止めナット
４４          ボルト
４５          ナット
５            フェンス用柱
５１          嵌合縦溝
６            ナット金具
６１          基板部
６２          脚部
６３          ナット部
６４          止着ネジ
７            支持金具
７１          横板部
７２          立板部
８            フェンス用部材
８１          下方支持金具
８２          フェンス板
８３          手すり棒
【図１】
2005023645.tif 000003
【図２】
2005023645.tif 000004
【図３】
2005023645.tif 000005
【図４】
2005023645.tif 000006
【図５】
2005023645.tif 000007
【図６】
2005023645.tif 000008
【図７】
2005023645.tif 000009
【図８】
2005023645.tif 000010
【図９】
2005023645.tif 000011
【図１０】
2005023645.tif 000012
【図１１】
2005023645.tif 000013
【図１２】
2005023645.tif 000014
【図１３】
2005023645.tif 000015
【図１４】
2005023645.tif 000016
【図１５】
2005023645.tif 000017